(57)【要約】【課題】出水口への取付け性を向上させることができる出水口ノズル及び飲料水供給装置を提供する。【解決手段】出水口ノズル１は、出水口１０３に着脱可能に構成された筒状体１０と、出水口１０３に設けられた一対の係止突起１０３ａにそれぞれ係止される一対の係止受け部１１とを有する。各係止受け部１１は、周方向のうち筒状体１０を出水口１０３に装着するときの装着方向において外部と連通する開口１２ａを有し、開口１２ａを介して各係止突起１０３ａが挿入されることで各係止突起１０３ａに係止される凹状部１２と、凹状部１２を構成する内周面の出水方向側の端部に連接し、出水方向に向かって視た場合に外部に露出し凹状部１２に向けて各係止突起１０３ａを案内するガイド面１３を有する。ガイド面１３は、装着方向と反対の離脱方向側の端部から装着方向側の端部に向けて出水方向と反対方向側に突出する傾斜面である。【選択図】図３
2020040667.tif 000002
【特許請求の範囲】
【請求項１】
飲料水供給装置の出水口に着脱可能に構成された筒状体と、
前記筒状体の出水方向と反対方向側の端部に形成され、前記筒状体が前記出水口に装着された装着状態において、前記出水口の周壁に対向して設けられた少なくとも一対の係止突起にそれぞれ係止される一対の係止受け部と、を有し、
各前記係止受け部は、
前記筒状体の周壁に設けられ、周方向のうち前記筒状体を前記出水口に装着するときの装着方向において外部と連通する開口を有し、前記開口を介して各前記係止突起が挿入されることで各前記係止突起に係止される凹状部と、
前記凹状部を構成する内周面の出水方向側の端部に連接し、前記出水方向に向かって視た場合に外部に露出し前記凹状部に向けて各前記係止突起を案内するガイド面と、を有し、
前記ガイド面は、
前記装着方向と反対の離脱方向側の端部から前記装着方向側の端部に向けて前記出水方向と反対方向側に突出する傾斜面である、
ことを特徴とする出水口ノズル。
【請求項２】
前記筒状体は、
前記装着状態において、前記飲料水供給装置の正面から中心軸に沿って目視可能な位置に目印が形成される、
請求項１に記載の出水口ノズル。
【請求項３】
各前記係止受け部は、
前記筒状体の周壁のうち前記凹状部を構成し前記出水方向と反対方向側の端部に対応する部分が弾性変形可能であり、
前記開口の前記出水方向における間隔が各前記係止突起の直径より小さい、
請求項１または２に記載の出水口ノズル。
【請求項４】
請求項１〜３のいずれか１項に記載の出水口ノズルと、
前記出水口ノズルが着脱可能に構成され、かつ飲料水が吐出される出水口と、
前記飲料水を貯留する少なくとも１つの容器と、
前記出水口と前記容器とを連通し、前記容器から前記出水口に前記飲料水を送る水路とを、少なくとも備え、
前記出水口は、
周壁に対向して設けられ、前記出水口ノズルの一対の前記係止受け部に係止する少なくとも一対の係止突起を有する、
ことを特徴とする飲料水供給装置。
【発明の詳細な説明】
【技術分野】
【０００１】
本発明は、出水口ノズル及び飲料水供給装置に関する。
【背景技術】
【０００２】
飲料水供給装置の一例として、ウォーターサーバがある。ウォーターサーバは、飲料水タンクに貯留された飲料水を、利用者の操作に応じて出水口から出水するものである（例えば、特許文献１，２参照）。このようなウォーターサーバでは、注水時の跳ね返り等で出水口が汚れたり、汚れた出水口で菌が増殖したりする可能性があることから、出水口に取り外し可能な出水口ノズルを取付けたものがある。
【先行技術文献】
【特許文献】
【０００３】
【特許文献１】特開２０１５−１２９５４１号公報
【特許文献２】特開２０１７−２６０１２号公報
【発明の概要】
【発明が解決しようとする課題】
【０００４】
ところで、出水口に着脱可能な出水口ノズルを有するウォーターサーバでは、ユーザが目視しづらい位置に出水口自体が設けられる場合がある。そのため、出水口に出水口ノズルを取り付ける場合、例えば、出水口ノズルを回しながら出水口との嵌合位置を探し、嵌合位置で出水口ノズルを押し上げてさらに回す必要があることから、出水口ノズルの取り付けやすさの点で改善の余地がある。
【０００５】
本発明は、上記課題に鑑みてなされたものであって、出水口への取付け性を向上させることができる出水口ノズル及び飲料水供給装置を提供することを目的とする。
【課題を解決するための手段】
【０００６】
上記目的を達成するために、本発明に係る出水口ノズルは、飲料水供給装置の出水口に着脱可能に構成された筒状体と、前記筒状体の出水方向と反対方向側の端部に形成され、前記筒状体が前記出水口に装着された装着状態において、前記出水口の周壁に対向して設けられた少なくとも一対の係止突起にそれぞれ係止される一対の係止受け部と、を有し、各前記係止受け部は、前記筒状体の周壁に設けられ、周方向のうち前記筒状体を前記出水口に装着するときの装着方向において外部と連通する開口を有し、前記開口を介して各前記係止突起が挿入されることで各前記係止突起に係止される凹状部と、前記凹状部を構成する内周面の出水方向側の端部に連接し、前記出水方向に向かって視た場合に外部に露出し前記凹状部に向けて各前記係止突起を案内するガイド面と、を有し、前記ガイド面は、前記装着方向と反対の離脱方向側の端部から前記装着方向側の端部に向けて前記出水方向と反対方向側に突出する傾斜面である、ことを特徴とする。
【０００７】
また、上記出水口ノズルにおいて、前記筒状体は、前記装着状態において、前記飲料水供給装置の正面から中心軸に沿って目視可能な位置に目印が形成されるものである。
【０００８】
また、上記出水口ノズルにおいて、各前記係止受け部は、前記筒状体の周壁のうち前記凹状部を構成し前記出水方向と反対方向側の端部に対応する部分が弾性変形可能であり、前記開口の前記出水方向における間隔が各前記係止突起の直径より小さいものである。
【０００９】
上記目的を達成するために、本発明に係る飲料水供給装置は、請求項１〜３のいずれか１項に記載の出水口ノズルと、前記出水口ノズルが着脱可能に構成され、かつ飲料水が吐出される出水口と、前記飲料水を貯留する少なくとも１つの容器と、前記出水口と前記容器とを連通し、前記容器から前記出水口に前記飲料水を送る水路とを、少なくとも備え、前記出水口は、周壁に対向して設けられ、前記出水口ノズルの一対の前記係止受け部に係止する少なくとも一対の係止突起を有する、ことを特徴とする。
【発明の効果】
【００１０】
本発明に係る出水口ノズル及び飲料水供給装置によれば、出水口への取付け性を向上させることができる、という効果を奏する。
【図面の簡単な説明】
【００１１】
【図１】図１は、実施形態に係る飲料水供給装置の概略構成を示す模式図である。
【図２】図２は、実施形態に係る出水口ノズルの概略構成を示す斜視図である。
【図３】図３は、実施形態に係る出水口ノズルの概略構成を示す他の斜視図である。
【図４】図４は、実施形態に係る出水口ノズルの概略構成を示す縦断面図である。
【発明を実施するための形態】
【００１２】
以下に、本発明に係る出水口ノズル及び飲料水供給装置の実施形態を図面を参照しつつ詳細に説明する。なお、下記実施形態により本発明が限定されるものではない。すなわち、下記実施形態における構成要素には、当業者が容易に想定できるもの、あるいは実質的に同一のものが含まれ、発明の要旨を逸脱しない範囲で、種々の省略、置き換え、変更を行うことができる。
【００１３】
［実施形態］
本実施形態に係る出水口ノズル及び飲料水供給装置を図１〜図４を参照して説明する。飲料水供給装置１００は、いわゆるウォーターサーバであり、例えば飲料水１０２を所定の温度に加熱または冷却し、あるいは常温のまま供給するものである。飲料水供給装置１００は、図１に示すように、出水口ノズル１と、装置本体２とを備える。出水口ノズル１は、装置本体２の出水口１０３に装着されるものである。装置本体２は、主に、飲料水タンク１０１と、出水口１０３と、水路１０５と、電磁弁１０７とを含んで構成される。
【００１４】
なお、以下の説明において、特に記載しない限り、図１〜図４の「上下方向」は、飲料水供給装置１００の上下方向を示すものとする。なお、上下方向は鉛直方向に限られない。
【００１５】
飲料水タンク１０１は、飲料水を貯留する容器であり、例えば、常温水タンク１０１Ａと、冷水タンク１０１Ｂと、温水タンク１０１Ｃとで構成される。
【００１６】
常温水タンク１０１Ａは、常温水を貯留する容器である。常温水は、常温の飲料水１０２である。常温は、飲料水供給装置１００が設置された環境の温度であり、例えば室内温度である。常温水タンク１０１Ａは、内部に飲料水１０２が充填された状態で、装置本体２の上部に配置されるものであり、装置本体２に保持または収容される。常温水タンク１０１Ａは、例えば、交換用の給水容器として、着脱可能に構成されていてもよい。常温水タンク１０１Ａは、飲料水供給装置１００の上方向側に配置されており、冷水タンク１０１Ｂと連通している。
【００１７】
冷水タンク１０１Ｂは、常温水タンク１０１Ａから供給される飲料水１０２を冷却し、冷水として貯留するものである。冷水タンク１０１Ｂは、装置本体２の中部に配置されるものであり、装置本体２に保持または収容される。冷水タンク１０１Ｂは、内部に貯留する飲料水１０２を常温水層と冷水層とに分けて貯留する。冷水タンク１０１Ｂは、例えば、断熱性を有する容器で形成されており、不図示の冷却装置を有する。冷却装置は、貯留された飲料水１０２を、例えば熱交換器等により冷却する。冷水タンク１０１Ｂには、内部に溜まった飲料水を外部に排出するドレインＤが設けられている。ドレインＤを開栓することで冷水タンク１０１Ｂ内に溜まった飲料水を排水することができる。
【００１８】
温水タンク１０１Ｃは、冷水タンク１０１Ｂから供給される飲料水１０２を加熱し、温水として貯留するものである。温水タンク１０１Ｃは、装置本体２の下部に配置されるものであり、装置本体２に保持または収容される。温水タンク１０１Ｃには、冷水タンク１０１Ｂ内の常温水層に溜まった常温水が流入する。温水タンク１０１Ｃは、例えば、断熱性を有する容器で形成されており、不図示の加熱ヒータを有する。加熱ヒータは、貯留された飲料水１０２を加熱する。温水タンク１０１Ｃは、飲料水供給装置１００の下方向側に配置されており、冷水タンク１０１Ｂと連通している。温水タンク１０１Ｃには、冷水タンク１０１Ｂと同様に、ドレインＤが設けられている。このドレインＤを開栓することで温水タンク１０１Ｃ内に溜まった飲料水を排水することができる。
【００１９】
水路１０５は、出水口１０３と飲料水タンク１０１とを連通し、飲料水タンク１０１から出水口に飲料水を送る水路であり、例えば、常温水路１０５Ａと、冷水路１０５Ｂと、温水路１０５Ｃとで構成される。
【００２０】
常温水路１０５Ａは、冷水タンク１０１Ｂと出水口１０３とを連通し、冷水タンク１０１Ｂから出水口１０３に常温水を送る配管である。常温水路１０５Ａは、冷水タンク１０１Ｂ内に貯留する飲料水１０２のうち、上層側に滞留する常温水層から常温水を出水口１０３まで導くものである。
【００２１】
冷水路１０５Ｂは、常温水路１０５Ａと異なる位置で冷水タンク１０１Ｂと出水口１０３とを連通し、冷水タンク１０１Ｂから出水口１０３に冷水を送る配管である。常温水路１０５Ａは、冷水タンク１０１Ｂ内に貯留する飲料水１０２のうち、下層側に滞留する冷水層から冷水を出水口１０３まで導くものである。
【００２２】
温水路１０５Ｃは、温水タンク１０１Ｃと出水口１０３と連通し、温水タンク１０１Ｃから出水口１０３に温水を送る配管である。温水路１０５Ｃは、温水タンク１０１Ｃ内に貯留する温水を出水口１０３まで導くものである。
【００２３】
出水口１０３は、出水口ノズル１が着脱可能に構成され、飲料水１０２が外部に吐出される部分である。出水口１０３は、図２に示すように、筒状に形成され、飲料水供給装置１００の上下方向のうちの下方向に突出するように配置される。出水口１０３は、３つの水路１０５、すなわち常温水路１０５Ａ、冷水路１０５Ｂ、及び温水路１０５Ｃが合流する合流点１０６の下流側に設けられている。出水口１０３は、周壁１０３ｂに対向して設けられ、出水口ノズル１の係止受け部１１に係止する一対の係止突起１０３ａを有する。各係止突起１０３ａは、円柱状に周壁１０３ｂから径方向外向きに突出して形成される。出水口１０３は、周壁１０３ｂの周方向に沿って形成され径方向外向きに開口する凹状溝１０３ｃを有する。凹状溝１０３ｃには、Ｏリング１０４に嵌め込まれる。Ｏリング１０４は、出水口ノズル１が出水口１０３に装着された装着状態において、出水口ノズル１と出水口１０３の周壁間を密封して外部への水漏れ等を防止するものである。
【００２４】
電磁弁１０７は、飲料水タンク１０１から出水口１０３までの水路１０５を電気的に開閉するものである。電磁弁１０７は、主に、不図示のソレノイドコイルと、開閉弁と、スプリングとを含んで構成される。電磁弁１０７は、非通電状態において、スプリングにより開閉弁を下方向に付勢して、当該開閉弁を閉位置に移動させ、通電状態において、不図示の電源からソレノイドコイルに通電することによって周囲に磁束が生じ、開閉弁を上方向に駆動して開位置に移動させる。電磁弁１０７は、不図示の操作部からの操作信号に応じて、非通電状態から通電状態に遷移し、開閉弁を駆動して閉位置から開位置にする。電磁弁１０７は、常温水路１０５Ａ、冷水路１０５Ｂ、及び温水路１０５Ｃの各水路１０５上に設けられている。常温水用電磁弁１０７Ａは、常温水路１０５Ａを開閉するものである。冷水用電磁弁１０７Ｂは、冷水路１０５Ｂを開閉するものである。温水用電磁弁１０７Ｃは、温水路１０５Ｃを開閉するものである。すなわち、電磁弁１０７は、水路１０５を開閉し、出水口１０３からの飲料水１０２の出水を制御する。本実施形態における冷水用電磁弁１０７Ｂは、出水口１０３から温水路１０５Ｃを上方向に沿って配置されている。
【００２５】
出水口ノズル１は、例えば、ポリプロピレン等の合成樹脂材料で成形されている。出水口ノズル１は、図２及び図３に示すように、筒状に形成された筒状体１０と、一対の係止受け部１１とを備える。
【００２６】
筒状体１０は、飲料水供給装置１００の出水口１０３に着脱可能に構成されている。本実施形態の筒状体１０は、一対の開口部２０，４０と、把持部３０と、水路５０とを含んで構成される。
【００２７】
一対の開口部２０，４０は、筒状体１０の上下方向の両端部に形成され、水路５０を介して連通して開口する部分である。開口部２０には、出水口１０３が出水方向に挿入される。開口部４０は、筒状体１０が出水口１０３に装着された装着状態において、飲料水１０２を吐出する。開口部４０は、図３及び図４に示すように、内周面に上下方向に延在して形成された複数の凸部４０ａを有する。
【００２８】
把持部３０は、操作者の手指で把持される部分である。把持部３０は、操作者の手指が把持しやすいように、筒状体１０の外径より大きい外径を有する。把持部３０は、操作者の手指の滑り止めとして形成された複数の凸部３０ａを有する。複数の凸部３０ａは、上下方向に延在し、かつ把持部３０の周方向に一定の間隔をおいて形成される。把持部３０は、筒状体１０が出水口１０３に装着された装着状態において、飲料水供給装置１００の正面から中心軸に沿って目視可能な位置に目印３０ｂが形成される。目印３０ｂは、係止突起１０３ａが凹状部１２に係止された係止状態において、飲料水供給装置１００の正面から中心軸に沿って目視可能な把持部３０上に形成される。本実施形態の目印３０ｂは、凹状部１２と中心軸に沿って同一線上に配置されている。目印３０ｂは、操作者が容易に目視確認可能な位置に配置され、かつ操作者が容易に認識可能な形状及び大きさで形成されることが好ましい。
【００２９】
水路５０は、開口部２０から開口部４０に飲料水１０２を導く水路であり、上下方向に沿って形成されている。水路５０は、筒状体１０の内周面で形成される内部空間である。
【００３０】
一対の係止受け部１１は、筒状体１０の出水方向（下方向）と反対方向側の端部に形成され、筒状体１０が出水口１０３に装着された装着状態において、出水口１０３の周壁１０３ｂに対向して設けられた一対の係止突起１０３ａにそれぞれ係止されるものである。各係止受け部１１は、凹状部１２と、ガイド面１３とを有する。
【００３１】
凹状部１２は、筒状体１０の周壁１０ａに設けられ、周方向のうち筒状体１０を出水口１０３に装着するときの装着方向において外部と連通する開口１２ａを有し、開口１２ａを介して各係止突起１０３ａが挿入されることで各係止突起１０３ａに係止される部分である。凹状部１２は、上下方向と直交する方向から視た場合、Ｃ字状に形成されている。一対の凹状部１２は、筒状体１０の周壁１０ａに対向して設けられている。一対の凹状部１２は、周方向においてガイド面１３を挟んで設けられている。開口１２ａの出水方向における間隔は、各係止突起１０３ａの直径より小さく設定されている。本実施形態では、筒状体１０の周壁１０ａのうち凹状部１２を構成し出水方向と反対方向側の端部に対応する部分１２ｂが弾性変形可能である。すなわち、開口１２ａの出水方向における間隔は、凹状部１２を構成する部分１２ｂが弾性変形する度合いに応じて、各係止突起１０３ａの直径より小さく設定されることが好ましい。
【００３２】
ガイド面１３は、凹状部１２を構成する内周面の出水方向側の端部に連接し、出水方向に向かって視た場合に外部に露出し凹状部１２に向けて各係止突起１０３ａを案内するものである。本実施形態のガイド面１３は、装着方向と反対の離脱方向側の端部から装着方向側の端部に向けて出水方向と反対方向側に突出する傾斜面である。ガイド面１３は、装着方向と反対の離脱方向側の端部から装着方向側の端部に向けて出水方向側に傾斜している。ガイド面１３は、出水方向に沿って螺旋状に形成された面の一部を構成する。
【００３３】
次に、本実施形態に係る出水口ノズル１の出水口１０３に対する装着動作について説明する。
【００３４】
操作者は、出水口ノズル１の把持部３０を手指により把持した把持状態で、出水口ノズル１を出水口１０３の下方向側に移動させる。出水口ノズル１及び出水口１０３は、図２に示すように、出水口ノズル１の開口部２０と出水口１０３の周壁１０３ｂの出水方向側の端部とが上下方向に対向する。このとき、目印３０ｂは、飲料水供給装置１００の正面から中心軸に沿って目視可能な位置に現れていない状態にあることが好ましい。操作者は、把持状態を維持しながら出水口ノズル１を上方向側に向けて移動させる。出水口１０３の周壁１０３ｂの出水方向側の端部が出水口ノズル１の開口部２０に挿入されると、出水口１０３の係止突起１０３ａが出水口ノズル１のガイド面１３に当接する。このとき、操作者は、把持状態を維持しながら出水口ノズル１を装着方向側に向けて回動させる。
【００３５】
出水口１０３の係止突起１０３ａが出水口ノズル１のガイド面１３を摺動しながら凹状部１２に向かう。すなわち、出水口ノズル１は、係止突起１０３ａに対してガイド面１３を装着方向に摺動させながら回動する。出水口ノズル１が装着状態に近づくと、係止突起１０３ａが凹状部１２に対して係止を開始し、非係止状態から係止状態に移行する。ここで係止状態は、開口１２ａを介して係止突起１０３ａが凹状部１２に挿入されることで係止突起１０３ａが係止された状態をいう。目印３０ｂは、係止突起１０３ａが凹状部１２に対して係止を開始すると、中心軸に向かって近づく。
【００３６】
係止突起１０３ａが凹状部１２に対して係止を開始すると、凹状部１２を構成する部分１２ｂが弾性変形し、係止突起１０３ａが凹状部１２の内側底面に向けてさらに移動する。出水口ノズル１が装着状態に到達すると、係止突起１０３ａが凹状部１２に係止された状態となり、出水口ノズル１の装着方向への回動が規制される。このとき、目印３０ｂは、飲料水供給装置１００の正面から中心軸に沿って目視可能な位置に現れる。
【００３７】
以上説明したように、本実施形態に係る出水口ノズル１は、出水口１０３に着脱可能に構成された筒状体１０と、出水口１０３に設けられた一対の係止突起１０３ａにそれぞれ係止される一対の係止受け部１１とを有する。これにより、例えば、操作者が出水口ノズル１を出水口１０３から取り外して洗浄することが可能となり、清潔な状態を維持管理することができる。各係止受け部１１は、周方向のうち筒状体１０を出水口１０３に装着するときの装着方向において外部と連通する開口１２ａを有し、開口１２ａを介して各係止突起１０３ａが挿入されることで各係止突起１０３ａに係止される凹状部１２を有する。これにより、凹状部１２が係止突起１０３ａを確実に係止することができる。また、各係止受け部１１は、凹状部１２を構成する内周面の出水方向側の端部に連接し、出水方向に向かって視た場合に外部に露出し凹状部１２に向けて各係止突起１０３ａを案内するガイド面１３を有する。これにより、ガイド面１３が係止突起１０３ａを凹状部１２に向けて案内することができる。ガイド面１３は、装着方向と反対の離脱方向側の端部から装着方向側の端部に向けて出水方向と反対方向側に突出する傾斜面である。これにより、係止突起１０３ａがガイド面１３を摺動しながら凹状部１２に向けて案内されるので、出水口１０３との嵌合位置で出水口ノズル１を押し上げてさらに回す必要がなくなり、出水口１０３に対して出水口ノズル１を容易に装着することが可能となる。このように、本実施形態に係る出水口ノズル１は、嵌合位置が見えていなくとも操作者が出水口ノズル１を出水口１０３に容易に取り付けることが可能となり、出水口１０３への出水口ノズル１の取付け性を向上させることができる。
【００３８】
本実施形態の筒状体１０は、筒状体１０が出水口１０３に装着された装着状態において、飲料水供給装置１００の正面から中心軸に沿って目視可能な位置に目印３０ｂが形成される。これにより、操作者が目印３０ｂの周方向の位置を目視することで出水口１０３に対して出水口ノズル１が正しく取付けられたことを確認することができる。
【００３９】
各係止受け部１１は、筒状体１０の周壁１０ａのうち凹状部１２を構成し出水方向と反対方向側の端部に対応する部分１２ｂが弾性変形可能であり、開口１２ａの出水方向における間隔が各係止突起１０３ａの直径より小さい。これにより、係止突起１０３ａが開口１２ａを弾性変形させながら凹状部１２の内部に挿入されるので、操作者に対して一時的な抵抗感を与えて装着状態を認識させることが可能となる。
【００４０】
また、本実施形態に係る飲料水供給装置１００は、出水口ノズル１と、出水口ノズル１が着脱可能に構成される出水口１０３と、飲料水１０２を貯留する飲料水タンク１０１と、飲料水タンク１０１から出水口１０３に飲料水１０２を送る水路１０５とを備える。出水口１０３は、周壁１０３ｂに対向して設けられ、出水口ノズル１の一対の係止受け部１１に係止する一対の係止突起１０３ａを有する。これにより、例えば操作者が出水口ノズル１を出水口１０３から取り外して洗浄し再び取り付ける際に容易に取り付けることが可能となり、出水口１０３への出水口ノズル１の取付け性を向上させることができる。
【００４１】
［変形例］
なお、上記実施形態では、飲料水供給装置１００は、飲料水１０２を供給するが、これに限定されず、飲料水以外の飲料を供給するものあってもよい。
【００４２】
また、上記実施形態では、目印３０ｂは、凹状部１２と中心軸に沿って同一線上に配置されているが、これに限定されるものではない。すなわち、目印３０ｂは、上記係止状態において、飲料水供給装置１００の正面から中心軸に沿って目視可能な把持部３０上に形成されていればよく、図３に示す位置に限定されるものではない。また、目印３０ｂは、出水口ノズル１に設けられているが、これに限定されるものではない。例えば、目印３０ｂが出水口１０３側にも設けられており、係止状態において出水口ノズル１側の目印３０ｂと出水口１０３側の目印との位置が合うように形成されていてもよい。なお、目印３０ｂは、必須ではなく、省略されていてもよい。
【符号の説明】
【００４３】
１  出水口ノズル
２  装置本体
１０  筒状体
１０ａ，１０３ｂ  周壁
１１  係止受け部
１２  凹状部
１３  ガイド面
２０，４０  開口部
３０  把持部
３０ａ  凸部
３０ｂ  目印
４０ａ  凸部
１００  飲料水供給装置
１０１  飲料水タンク
１０２  飲料水
１０３  出水口
１０３ａ  係止突起
１０４  Ｏリング
５０，１０５  水路
１０７  電磁弁
【図１】
2020040667.tif 000003
【図２】
2020040667.tif 000004
【図３】
2020040667.tif 000005
【図４】
2020040667.tif 000006